(57)【要約】【課題】イヤホン等の音声出力部のどちら側をどちらの耳に装着すべきかを確認しなくても、適切に音楽等を聴取することが可能となる音声信号出力装置を提供する。【解決手段】携帯音楽プレーヤ１の制御部３６が、イヤホン２のＧＰＳセンサ２Ａから取得した位置情報から利用者の移動方向が検出できない場合は、イヤホン２のジャイロセンサ２Ｂから取得した角度情報に基づいてイヤホンユニット２Ｌおよび２ＲにＬｃｈ、Ｒｃｈのいずれを出力するかを決定する。そして、その後ＧＰＳセンサ２Ａから取得した位置情報から利用者の移動方向が検出できた場合は、当該移動方向に基づいてイヤホンユニット２Ｌおよび２ＲにＬｃｈ、Ｒｃｈのいずれを出力するかを決定する。【選択図】図４
2015186072.tif 000002
【特許請求の範囲】
【請求項１】
第１音声出力部に左側音声信号または右側音声信号のうちの一方の信号を出力し、第２音声出力部に他方の信号を出力する音声信号出力部と、
前記第１音声出力部および前記第２音声出力部のうち少なくともいずれか一方が利用者の左右の耳のいずれに対して配置されたかに関する配置情報を取得する取得部と、
前記取得部が取得した前記配置情報に基づいて、前記第１音声出力部に出力する前記一方の信号を決定する決定部と、
を備えることを特徴とする音声信号出力装置。
【請求項２】
前記配置情報は、前記利用者の移動方向に関する情報であって、
前記決定部は、前記利用者の移動方向に関する情報に基づいて前記一方の信号を決定する、
ことを特徴とする請求項１に記載の音声信号出力装置。
【請求項３】
前記移動方向に関する情報には、前記第１音声出力部および前記第２音声出力部のいずれかの位置を検出する位置検出部の検出結果と、前記第１音声出力部および前記第２音声出力部のいずれかの向きを検出する向き検出部の検出結果と、が含まれることを特徴とする請求項２に記載の音声信号出力装置。
【請求項４】
前記移動方向に関する情報には、前記第１音声出力部および前記第２音声出力部の位置を検出する位置検出部の検出結果が含まれることを特徴とする請求項２に記載の音声信号出力装置。
【請求項５】
前記決定部は、前記取得部が取得した前記利用者の移動方向に関する情報から前記利用者の移動方向が検出できない場合は、前記取得部が前記配置情報として取得した前記第１音声出力部および前記第２音声出力部のうち少なくともいずれか一方が前記利用者の耳に配置された状態における配置角度に関する角度情報に基づいて前記一方の信号を決定し、その後、前記利用者の移動方向が検出できた場合は、当該移動方向に基づいて前記一方の信号を再度決定して確定させる、
ことを特徴とする請求項２乃至４のうちいずれか一項に記載の音声信号出力装置。
【請求項６】
前記取得部は、前記第１音声出力部および前記第２音声出力部が前記利用者の耳に装着されたことを示す装着情報を取得し、
前記装着情報に基づいて前記第１音声出力部および前記第２音声出力部の装着順序を判定して、当該装着順序および前記決定部の決定結果を関連付けて癖情報として記憶する癖判定部を更に備え、
前記決定部は、前記取得部が取得した前記配置情報から前記利用者の移動方向が検出できない場合は、前記癖判定部が記憶している前記癖情報に基づいて前記一方の信号を決定し、その後、前記利用者の移動方向が検出できた場合は、当該移動方向に基づいて前記一方の信号を再度決定して確定させる、
ことを特徴とする請求項２乃至４のうちいずれか一項に記載の音声信号出力装置。
【請求項７】
前記取得部は、前記第１音声出力部および前記第２音声出力部の少なくとも一方が前記利用者の耳に配置された状態における配置角度に関する角度情報を前記配置情報として取得し、
前記決定部は、前記角度情報に基づいて前記一方の信号を決定する、
ことを特徴とする請求項１に記載の音声信号出力装置。
【請求項８】
前記取得部は、前記第１音声出力部および前記第２音声出力部が前記利用者の耳に装着されたことを示す装着情報を取得し、
前記装着情報に基づいて前記第１音声出力部および前記第２音声出力部の装着順序を判定して、当該装着順序および前記決定部の決定結果を関連付けて癖情報として記憶する癖判定部を更に備え、
前記決定部は、前記癖判定部が記憶している前記癖情報に基づいて前記一方の信号を決定する、
ことを特徴とする請求項１に記載の音声信号出力装置。
【請求項９】
前記決定部は、前記一方の信号を決定する前は、前記音声信号出力部にモノラル信号を出力させることを特徴とする請求項１乃至８のうちいずれか一項に記載の音声信号出力装置。
【請求項１０】
第１音声出力部に右側音声信号または左側音声信号のうちの一方の信号を出力し、第２音声出力部に他方の信号を出力する音声信号出力部を備える音声信号出力装置の音声信号出力方法であって、
前記第１音声出力部および前記第２音声出力部のうち少なくともいずれか一方が利用者の左右の耳のいずれに対して配置されたかに関する配置情報を取得する取得工程と、
前記取得工程で取得した前記配置情報に基づいて、前記第１音声出力部に出力する前記一方の信号を決定する決定工程と、
を含むことを特徴とする音声信号出力方法。
【請求項１１】
請求項１０に記載の音声信号出力方法を、コンピュータにより実行させることを特徴とする音声信号出力プログラム。
【請求項１２】
請求項１１に記載の音声信号出力プログラムを格納したことを特徴とするコンピュータ読み取り可能な記録媒体。
【発明の詳細な説明】
【技術分野】
【０００１】
本発明は、例えば利用者の耳に装着されるイヤホン等の音声出力装置へ音声信号を出力する音声信号出力装置に関する。
【背景技術】
【０００２】
例えば携帯音楽プレーヤや音楽再生機能を内蔵した携帯機器、あるいはＤＶＤ（Digital Versatile Disc）プレーヤやパーソナルコンピュータ等の電子機器は、音楽や映像等の音声を聴取する際に、イヤホンやヘッドホン等の音声出力装置を接続して当該音楽や音声等を聴取することができる。
【０００３】
利用者は、通常イヤホン等で音楽を聴く際には、イヤホンに書かれた左側または右側を示す文字等を参照して、どちらのイヤホンをどちらの耳に装着すべきかを確認してから装着するため煩雑となっている。また、例えば左側または右側を示す文字が小さかったり、印刷が擦れて見づらくなっている場合には、左右を誤って装着してしまう虞がある。
【０００４】
イヤホン等の左右を判別する方法としては、例えば特許文献１に、イヤホンの音響特性を測定する測定信号に右または左を示すキー信号を含めることや、測定信号の左右を互いに逆位相にすることなどが記載されている。
【先行技術文献】
【特許文献】
【０００５】
【特許文献１】特開２０１３‐９８７３１号公報
【発明の概要】
【発明が解決しようとする課題】
【０００６】
特許文献１に記載された方法は、あくまでイヤホンの特性を測定するために左右を識別する方法であって、利用者のためではない。特許文献１の方法では、機器側で左右が識別できてもそれが利用者には何ら提示されないため、相変わらず利用者は煩雑な確認を行う必要がある。
【０００７】
そこで、本発明は、上述した問題に鑑み、例えば、どちら側をどちらの耳に装着すべきかを確認しなくても、適切に音楽等を聴取することが可能となる音声信号出力装置を提供することを課題とする。
【課題を解決するための手段】
【０００８】
上記課題を解決するために、請求項１に記載の発明は、第１音声出力部に左側音声信号または右側音声信号のうちの一方の信号を出力し、第２音声出力部に他方の信号を出力する音声信号出力部と、前記第１音声出力部および前記第２音声出力部のうち少なくともいずれか一方が利用者の左右の耳のいずれに対して配置されたかに関する配置情報を取得する取得部と、前記取得部が取得した前記配置情報に基づいて、前記第１音声出力部に出力する前記一方の信号を決定する決定部と、を備えることを特徴としている。
【０００９】
請求項１０に記載の発明は、第１音声出力部に右側音声信号または左側音声信号のうちの一方の信号を出力し、第２音声出力部に他方の信号を出力する音声信号出力部を備える音声信号出力装置の音声信号出力方法であって、前記第１音声出力部および前記第２音声出力部のうち少なくともいずれか一方が利用者の左右の耳のいずれに対して配置されたかに関する配置情報を取得する取得工程と、前記取得工程で取得した前記配置情報に基づいて、前記第１音声出力部に出力する前記一方の信号を決定する決定工程と、を含むことを特徴としている。
【００１０】
請求項１１に記載の発明は、請求項１０に記載の音声信号出力方法を、コンピュータにより実行させることを特徴としている。
【００１１】
請求項１２に記載の発明は、請求項１１に記載の音声信号出力プログラムを格納したことを特徴としている。
【図面の簡単な説明】
【００１２】
【図１】本発明の第１の実施例にかかる携帯音楽プレーヤとイヤホンの外観図である。
【図２】図１に示された携帯音楽プレーヤのブロック構成図である。
【図３】図１に示されたイヤホンの断面図である。
【図４】図１に示された携帯音楽プレーヤのイヤホンのイヤホンユニットが利用者の左耳または右耳のいずれに装着されているかの判定動作のフローチャートである。
【図５】イヤホンユニットの装着角度に説明図である。
【図６】イヤホンユニットの方位の説明図である。
【図７】イヤホンユニットの方位と移動方向から左右を判定する説明図である。
【図８】本発明の第２の実施例にかかる携帯音楽プレーヤに接続されるイヤホンの断面図である。
【図９】本発明の第２の実施例にかかる携帯音楽プレーヤのイヤホンのイヤホンユニットが利用者の左耳または右耳のいずれに装着されているかの判定動作のフローチャートである。
【図１０】本発明の第３の実施例にかかる携帯音楽プレーヤに接続されるイヤホンの断面図である。
【図１１】本発明の第４の実施例にかかる携帯音楽プレーヤのイヤホンのイヤホンユニットが利用者の左耳または右耳のいずれに装着されているかの判定動作のフローチャートである。
【図１２】本発明の第４の実施例にかかる携帯音楽プレーヤに接続されるイヤホンの断面図である。
【図１３】本発明の第４の実施例にかかる携帯音楽プレーヤのイヤホンのイヤホンユニットが利用者の左耳または右耳のいずれに装着されているかの判定動作のフローチャートである。
【図１４】本発明の第５の実施例にかかる携帯音楽プレーヤのイヤホンのイヤホンユニットが利用者の左耳または右耳のいずれに装着されているかの判定動作のフローチャートである。
【発明を実施するための形態】
【００１３】
以下、本発明の一実施形態にかかる音声信号出力装置を説明する。本発明の一実施形態にかかる音声信号出力装置は、音声信号出力部が第１音声出力部に左側音声信号または左側音声信号のうちの一方の信号を出力し、第２音声出力部に他方の信号を出力する。そして、取得部が第１音声出力部および第２音声出力部のうち少なくともいずれか一方が利用者の左右の耳のいずれに対して配置されたかに関する配置情報を取得して、決定部が取得部が取得した配置情報に基づいて、第１音声出力部に出力する一方の信号を決定する。このようにすることにより、取得した配置情報に基づいて左側音声信号と右側音声信号を出力する音声出力部を決定することができる。したがって、イヤホン等の音声出力部のどちら側をどちらの耳に装着すべきかを確認しなくても、装着状況に基づいて自動的に左右を決定して適切に音楽等を聴取することが可能となる。
【００１４】
また、配置情報は、利用者の移動方向に関する情報であって、決定部は、利用者の移動方向に関する情報に基づいて第１音声出力部に出力する左側音声信号または右側音声信号のうちの一方の信号を決定するようにしてもよい。このようにすることにより、利用者の移動によって第１音声出力部と第２音声出力部のいずれが左側でいずれか右側かを決定することができ、利用者は左右の確認をせずに装着しても、第１音声出力部と第２音声出力部の装着状況に基づいて自動的に左右を決定して適切に音楽等を聴取することが可能となる。
【００１５】
また、移動方向に関する情報には、第１音声出力部および第２音声出力部のいずれかの位置を検出する位置検出部の検出結果と、第１音声出力部および第２音声出力部の向きを検出する向き検出部の検出結果と、が含まれてもよい。このようにすることにより、第１音声出力部および第２音声出力部のいずれかに設けられた向き検出部が検出した向きおよび位置検出部が検出した位置から当該音声出力部がどちら向きで移動しているかを検出することができる。したがって、第１音声出力部と第２音声出力部のいずれが左側でいずれが右側かを決定することができる。
【００１６】
また、移動方向に関する情報には、第１音声出力部および第２音声出力部の位置を検出する位置検出部の検出結果が含まれてもよい。このようにすることにより、第１音声出力部および第２音声出力部に設けられた位置検出部が検出した位置の移動によって、２つの音声出力部がどの方向に移動するかを検出することができる。したがって、向きの情報が無くても第１音声出力部と第２音声出力部のいずれが左側でいずれが右側かを決定することができる。
【００１７】
また、決定部は、取得部が取得した利用者の移動方向に関する情報から利用者の移動方向が検出できない場合は、取得部が配置情報として取得した第１音声出力部および第２音声出力部のうち少なくともいずれか一方が利用者の耳に配置された状態における配置角度に関する角度情報に基づいて第１音声出力部に出力する左側音声信号または右側音声信号のうちの一方の信号を決定する。その後、利用者の移動方向が検出できた場合は、当該移動方向に基づいて第１音声出力部に出力する左側音声信号または右側音声信号のうちの一方の信号を再度決定して確定させるようにしてもよい。このようにすることにより、利用者の耳への装着角度から第１音声出力部が左側に装着されたのか右側に装着されたのかを仮決定し、その後利用者の移動によって、第１音声出力部が左側に装着されたのか右側に装着されたのかを確定させることができる。したがって、利用者の移動前から自動的に左右を決定して適切に音楽等を聴取することができる。
【００１８】
また、取得部は、第１音声出力部および第２音声出力部が利用者の耳に装着されたことを示す装着情報を取得する。癖判定部は、装着情報に基づいて第１音声出力部および第２音声出力部の装着順序を判定して、当該装着順序および決定部の決定結果を関連付けて癖情報として記憶する。そして、決定部は、癖判定部が取得した配置情報から利用者の移動方向が検出できない場合は、取得部が記憶している癖情報に基づいて第１音声出力部に出力する左側音声信号または右側音声信号のうちの一方の信号を決定し、利用者の移動方向が検出できた場合は、当該移動方向に基づいて第１音声出力部に出力する左側音声信号または右側音声信号のうちの一方の信号を再度決定して確定させるようにしてもよい。このようにすることにより、利用者の装着順の癖を学習することができ、学習後の利用時には学習した結果を用いて第１音声出力部が左側に装着されたのか右側に装着されたのかを仮決定することができる。そして、その後利用者の移動によって、第１音声出力部が左側に装着されたのか右側に装着されたのかを確定させることができる。したがって、一度学習した後は利用者の移動前から自動的に左右を決定して適切に音楽等を聴取することができる。
【００１９】
また、取得部は、第１音声出力部および第２音声出力部の少なくとも一方が利用者の耳に配置された状態における配置角度に関する角度情報を配置情報として取得し、決定部は、角度情報に基づいて第１音声出力部に出力する左側音声信号または右側音声信号のうちの一方の信号を決定するようにしてもよい。このようにすることにより、利用者の耳への装着角度から第１音声出力部が左側に装着されたのか右側に装着されたのかを決定することができる。したがって、利用者が移動しなくとも自動的に左右を決定して適切に音楽等を聴取することができる。
【００２０】
また、取得部は、第１音声出力部および第２音声出力部が利用者の耳に装着されたことを示す装着情報を取得して、癖判定部は、装着情報に基づいて第１音声出力部および第２音声出力部の装着順序を判定して、当該装着順序および決定部の決定結果を関連付けて癖情報として記憶する。そして、決定部は、癖判定部が記憶している癖情報に基づいて第１音声出力部に出力する左側音声信号または右側音声信号のうちの一方の信号を決定するようにしてもよい。このようにすることにより、利用者の装着順の癖を学習することができ、学習後の利用時には学習した結果を用いて第１音声出力部が左側に装着されたのか右側に装着されたのかを推測して決定することができる。したがって、一度学習した後は利用者の移動前から自動的に左右を決定して適切に音楽等を聴取することができる。
【００２１】
また、決定部は、第１音声出力部に出力する左側音声信号または右側音声信号のうちの一方の信号を決定する前は、第１音声出力部および第２音声出力部に対してモノラル信号を出力するようにしてもよい。このようにすることにより、左右の決定前から音声を出力することができる。また、モノラル音声であるため、左右とも同じ音声が出力されることから利用者に対して違和感を持たれにくくすることができる。
【００２２】
また、本発明の一実施形態にかかる音声信号出力方法は、取得工程で第１音声出力部および第２音声出力部のうち少なくともいずれか一方が利用者の左右の耳のいずれに対して配置されたかに関する配置情報を取得して、決定工程で取得部が取得した配置情報に基づいて、第１音声出力部に出力する一方の信号を決定する。このようにすることにより、取得した配置情報に基づいて左側音声信号と右側音声信号を出力する音声出力部を決定することができる。したがって、イヤホン等の音声出力部のどちら側をどちらの耳に装着すべきかを確認しなくても、装着状況に基づいて自動的に左右を決定して適切に音楽等を聴取することが可能となる。
【００２３】
また、上述した音声信号出力方法をコンピュータにより実行させる音声信号出力プログラムとしてもよい。このようにすることにより、コンピュータを用いて、イヤホン等の音声出力部のどちら側をどちらの耳に装着すべきかを確認しなくても、装着状況に基づいて自動的に左右を決定して適切に音楽等を聴取することが可能となる。
【００２４】
また、上述した音声信号出力プログラムをコンピュータ読み取り可能な記録媒体に格納してもよい。このようにすることにより、当該プログラムを機器に組み込む以外に単体でも流通させることができ、バージョンアップ等も容易に行える。
【実施例１】
【００２５】
本発明の第１の実施例にかかる音声信号出力装置を図１乃至図７を参照して説明する。図１に示した携帯音楽プレーヤ１は、携帯に適した小型の筐体内に、音楽等の音声情報が記憶され、当該音声情報を再生して音声信号として出力できる。また、ユーザインターフェースとして、表示部１１や操作子１２を備える。さらに、イヤホン２を接続するためのジャック部１３を備えている。
【００２６】
また、携帯音楽プレーヤ１は、図２に示すように、記憶部３１と、デコード部３２と、Ｄ／Ａコンバータ３３と、プリアンプ３４と、パワーアンプ３５と、制御部３６と、を備えている。
【００２７】
記憶部３１は、ハードディスクドライブや不揮発性半導体メモリなどの記憶装置で構成され、音声情報として例えばＭＰ３（MPEG Audio Layer-3）やＡＡＣ（Advanced Audio Coding）などで符号化された楽曲データなどが記憶（格納）されている。
【００２８】
デコード部３２は、制御部３６からの制御により、記憶部３１から楽曲データを読み出してデコード（復号化）しＤ／Ａコンバータ３３へ出力する。
【００２９】
Ｄ／Ａコンバータ３３は、デコード部３２から入力された音声信号をアナログ信号に変換してプリアンプ３４に出力する。
【００３０】
プリアンプ３４は、Ｄ／Ａコンバータ３３から入力されたアナログ信号を利用者等に設定されたボリュームに対応する値に増幅してパワーアンプ３５に出力する。また、プリアンプ３４は、切替部３４ａを有している。切替部３４ａは、制御部３６からの制御により、ステレオ音声の左側音声信号（Ｌｃｈ）と右側音声信号（Ｒｃｈ）とを入れ替える（切り替える）。なお、切替部３４ａは、本実施例ではプリアンプ３４に設けるが、ＬｃｈとＲｃｈとを入れ替え可能であれば、デコード部３２、Ｄ／Ａコンバータ３３やパワーアンプ３５など他のブロックにあってもよい。
【００３１】
音声信号出力部としてのパワーアンプ３５は、プリアンプ３４から入力された信号を増幅してイヤホン２を駆動する。即ち、左側音声信号および右側音声信号を出力する。
【００３２】
決定部としての制御部３６は、デコード部３２およびプリアンプ３４を制御して記憶部３１から楽曲データを読み出させて再生（デコード）させる。また、後述するイヤホン２内蔵のセンサ類から取得した配置情報に基づいて、イヤホンユニット２Ｌおよび２Ｒのうちいずれが利用者の左耳または右耳に装着されているかを決定して、切替部３４ａにＬｃｈおよびＲｃｈを適切なイヤホンユニット２Ｌおよび２Ｒに出力できるように切り替えさせる。
【００３３】
次に、イヤホン２の構成について説明する。イヤホン２は、図１に示したように、２つのイヤホンユニット２Ｌおよび２Ｒと、携帯音楽プレーヤ１のジャック部１３に挿入される接続部としてのプラグ２Ｄと、２つのイヤホンユニット２Ｌおよび２Ｒとプラグ２Ｄとを接続する電線２４と、を備えている。
【００３４】
イヤホンユニット２Ｌは、図３の断面図に示すように、音を生じるスピーカユニット２１と、該スピーカユニット２１を収容するとともに利用者の耳に装着される伝達器本体としてのイヤホン本体２２と、ＧＰＳセンサ２Ａと、ジャイロセンサ２Ｂと、電子コンパス２Ｃと、を備えている。以下、図３の説明を主にイヤホンユニット２Ｌで行うが、イヤホンユニット２Ｒも同様の構成である。即ち、イヤホンユニット２Ｌおよび２Ｒが第１音声出力部、第２音声出力部となる。以降は便宜上イヤホンユニット２Ｌを第１音声出力部として説明するが、イヤホンユニット２Ｒであっても構わない。
【００３５】
スピーカユニット２１は、音声電流が印加されることで振動して音を生じる振動板などを有したスピーカ本体２３を備え、電線２４に含まれる携帯音楽プレーヤ１のパワーアンプ３５からの音声電流を供給する信号線と電気的に接続されている。即ち、Ｌｃｈ（左側音声信号）またはＲｃｈ（右側音声信号）のうちの一方の信号を音声に変換して出力する。
【００３６】
イヤホン本体２２は、合成樹脂などからなり、耳に装着可能な筒状部２５と、前記筒状部２５に連なる通し部２６とを一体に備えている。筒状部２５は、人などの耳の耳甲介腔内に挿入可能な有底筒状に形成されている。筒状部２５は、開口部２７が人などの耳の耳甲介腔内に相対する状態で、人などの耳の耳甲介腔内に挿入される。また、筒状部２５は、底部２８から開口部２７に向かうにしたがって徐々に内外径が拡がるように形成されている。
【００３７】
筒状部２５は、スピーカ本体２３が開口部２７を通してスピーカ本体２３を収容する。また、筒状部２５は、ＧＰＳセンサ２Ａと、ジャイロセンサ２Ｂと、も収容する。
【００３８】
通し部２６は、筒状に形成されており、筒状部２５の底部２８に連なっている。また、通し部２６は、筒状部２５内と連通している。通し部２６は、筒状部２５に収容されたスピーカ本体２３と、ＧＰＳセンサ２Ａと、ジャイロセンサ２Ｂと、電子コンパス２Ｃと、に接続する信号線を含む電線２４を内側に通す。また、通し部２６は、電子コンパス２Ｃを収容する。
【００３９】
位置検出部としてのＧＰＳセンサ２Ａは、筒状部２５のスピーカ本体２３の背面側（振動版と相対しない側）に設けられ、電線２４に含まれる信号線と電気的に接続されている。ＧＰＳセンサ２Ａは、周知のように複数のＧＰＳ（Global Positioning System）衛星から発信される電波を受信して、現在の位置情報を求めて位置情報を信号線を介して携帯音楽プレーヤ１の制御部３６に出力する。なお、イヤホン本体２２に内蔵可能な小型のＧＰＳセンサ２Ａとしては例えば日本無線株式会社のＣＣＡ−７００が挙げられる。
【００４０】
ジャイロセンサ２Ｂは、筒状部２５のスピーカ本体２３の背面側（振動版と相対しない側）に設けられ、電線２４に含まれる信号線と電気的に接続されている。ジャイロセンサ２Ｂは、周知のように物体の角度や角速度を検出するセンサであり、本実施例では、イヤホンユニット２Ｌおよび２Ｒの鉛直方向に対する角度を検出して角度情報を信号線を介して携帯音楽プレーヤ１の制御部３６に出力する。なお、イヤホン本体２２に内蔵可能な小型のジャイロセンサ２Ｂとしては例えばＳＴマイクロエレクトロニクス社のＬ２Ｇ２ＩＳが挙げられる。
【００４１】
向き検出部としての電子コンパス２Ｃは、通し部２６の筒状部２５とは離れた位置に設けられ、電線２４に含まれる信号線と電気的に接続されている。電子コンパス２Ｃは、周知のように地磁気センサを有して、物体の方位を検出するセンサであり、本実施例では、イヤホンユニット２Ｌの方位（向き）を検出して方位情報を信号線を介して携帯音楽プレーヤ１の制御部３６に出力する。この電子コンパス２Ｃは、スピーカ本体２３の磁石の影響を少なくするために筒状部２５ではなく、スピーカ本体２３から離れた通し部２６に配置している。なお、イヤホン本体２２に内蔵可能な小型の電子コンパス２Ｃとしては例えば旭化成エレクトロニクス株式会社のＡＫ８９６３が挙げられる。
【００４２】
なお、図３に示したイヤホンユニット２Ｌは、スピーカ本体２３と、ＧＰＳセンサ２Ａと、ジャイロセンサ２Ｂと、電子コンパス２Ｃと、の信号線をそれぞれ設けるようにしていたが、共有化できるものは共有化してもよい。
【００４３】
次に、携帯音楽プレーヤ１におけるイヤホン２のイヤホンユニット２Ｌおよび２Ｒが利用者の左耳または右耳のいずれに装着されているかを判定する動作を図４のフローチャートを参照して説明する。このフローチャートは制御部３６を構成するＣＰＵ上で動作するソフトウェア（コンピュータプログラム）として構成してもよいし、ハードウェアとして構成してもよい。
【００４４】
まず、ステップＳ１１において、初期状態としてイヤホン２への出力音声をモノラル音声としてステップＳ１２に進む。本ステップではプリアンプ３４に対してモノラル音声を出力するように指示をする。プリアンプ３４では、入力されたステレオ音声をモノラル音声に変換してパワーアンプ３５に出力する。即ち、イヤホンユニット２Ｌ（第１音声出力部）に出力するＬｃｈまたはＲｃｈのいずれかの信号を決定する前はパワーアンプ３５（音声信号出力部）にモノラル信号を出力させている。
【００４５】
次に、ステップＳ１２において、利用者が移動しているか否かを判断し、移動している場合（ＹＥＳの場合）はステップＳ１４に進み、移動していない場合（ＮＯの場合）はステップＳ１３に進む。利用者が移動しているか否かはＧＰＳセンサ２Ａから入力される位置情報が変化しているか否かで判断すればよい。
【００４６】
次に、ステップＳ１３において、ステップＳ１２で利用者が移動していないと判断されたので、角度情報からイヤホンユニット２Ｌおよび２Ｒのいずれが利用者の左耳または右耳のいずれに装着されているかを判定して仮決定（左右を仮決定）して、ステップＳ１４に進む。即ち、利用者の移動方向に関する情報から利用者の移動方向が検出できない場合は、角度情報（配置情報）に基づいて、イヤホンユニット２Ｌ（第１音声出力部）に出力するＬｃｈまたはＲｃｈのいずれかの信号を決定している。
【００４７】
角度情報からイヤホンユニット２Ｌおよび２Ｒのいずれが利用者の左耳または右耳のいずれに装着されているかの判定方法について図５を参照して説明する。図５は、利用者の耳にイヤホンユニット２Ｌまたは２Ｒが装着された状態の図である。図５（ａ）は右耳ＥＲＲに装着された図、図５（ｂ）は左耳ＥＲＬに装着された図である。図５に示したように、イヤホンユニット２Ｌまたは２Ｒは、利用者の耳に装着する際には、通し部２６が鉛直方向（地面の方向）から顔側に向かって傾斜するように装着されることが多い。したがって、この鉛直方向に対する傾斜角をジャイロセンサ２Ｂで検出することで、イヤホンユニット２Ｌおよび２Ｒのどちらが右側でどちらが左側なのかが決定できる。即ち、ジャイロセンサ２Ｂが検出（取得）する角度情報が、イヤホンユニット２Ｌ（第１音声出力部）およびイヤホンユニット２Ｒ（第２音声出力部）のうち少なくともいずれか一方が利用者の左右の耳のいずれに対して配置されたかに関する配置情報である。したがって、ジャイロセンサ２Ｂが取得部として機能する。
【００４８】
制御部３６は、イヤホンユニット２Ｌおよび２Ｒのジャイロセンサ２Ｂから角度情報を入力されると、その角度情報に応じてイヤホンユニット２Ｌおよび２Ｒがそれぞれどちらの耳に装着されているかを決定し、切替部３４ａに対してＬｃｈとＲｃｈとが適切なイヤホンユニットに出力されるように切り替えさせる。
【００４９】
次に、ステップＳ１４において、方位情報および位置情報からイヤホンユニット２Ｌおよび２Ｒのいずれが利用者の左耳ＥＲＬまたは左耳ＥＲＲのいずれに装着されているかを判定して決定（左右を決定）する。本ステップの実行は利用者の移動の検出が前提である。つまり、利用者の移動が検出されるまでは、本ステップの実行前で待機する。即ち、角度による決定の後、利用者の移動方向が検出できた場合は、方位情報および位置情報（配置情報）に基づいて、イヤホンユニット２Ｌ（第１音声出力部）に出力するＬｃｈまたはＲｃｈのいずれかの信号を決定して確定させている。したがって、本ステップが取得工程、決定工程として機能する。
【００５０】
方位情報および位置情報からイヤホンユニット２Ｌおよび２Ｒのいずれが利用者の左耳ＥＲＬまたは右耳ＥＲＲのいずれに装着されているかの判定方法について図６および図７を参照して説明する。図６（ａ）はイヤホンユニット２Ｌまたは２Ｒの通し部２６が延在しているのと反対方向から見た図、図６（ｂ）は図３の断面図と同じ方向から見た図である。方位情報は、図６の矢印ＡＲに示したように、イヤホンユニット２Ｌおよび２Ｒのスピーカ本体２３の振動版がどの方位を向いているか（向き）を示す情報であり、電子コンパス２Ｃにより検出される。イヤホンユニット２Ｌおよび２Ｒは利用者の耳に装着されているので、電子コンパス２Ｃにより検出される方位は利用者の顔がどちらを向いているかを少なくとも２つの方向に限定することができる。
【００５１】
位置情報は、ＧＰＳセンサ２Ａにより検出されるイヤホンユニット２Ｌおよび２Ｒの現在位置（緯度、経度）を示す情報であり、利用者の移動とともに変化する情報である。したがって、図７に示したように、電子コンパス２Ｃにより方位が定まれば、移動方向からイヤホンユニット２Ｌおよび２Ｒのどちらが右側でどちらが左側かを決定できる。例えば図７（ａ）のような方位（矢印ＡＲ）で移動方向の場合は左側と判断できる。図７（ｂ）のような方位で移動方向の場合は右側と判断できる。通常、人は顔が向いている方向に移動することが多いので、このような移動方向から左右の判定をすることができる。
【００５２】
即ち、電子コンパス２Ｃが検出（取得）する方位情報およびＧＰＳセンサ２Ａが検出（取得）する位置情報が、イヤホンユニット２Ｌ（第１音声出力部）およびイヤホンユニット２Ｒ（第２音声出力部）のうち少なくともいずれか一方が利用者の左右の耳のいずれに対して配置されたかに関する配置情報であり、イヤホンユニット２Ｌ（第１音声出力部）およびイヤホンユニット２Ｒ（第２音声出力部）の位置を検出するＧＰＳセンサ２Ａ（位置検出部）の検出結果と、イヤホンユニット２Ｌ（第１音声出力部）およびイヤホンユニット２Ｒ（第２音声出力部）の向きを検出する電子コンパス２Ｃ（向き検出部）の検出結果と、が含まれる移動方向に関する情報である。したがって、ＧＰＳセンサ２Ａおよび電子コンパス２Ｃが取得部として機能する。
【００５３】
制御部３６は、イヤホンユニット２Ｌおよび２Ｒの電子コンパス２Ｃから方位情報、ＧＰＳセンサ２Ａから位置情報を取得すると、それら方位情報、位置情報に応じてイヤホンユニット２Ｌおよび２Ｒがそれぞれどちらの耳に装着されているかを決定し、切替部３４ａに対してＲｃｈとＬｃｈとが適切なイヤホンユニットに出力されるように切り替えさせる。
【００５４】
このようにして、利用者が移動していない場合はステップＳ１３で仮決定し、その後利用者の移動に伴ってステップＳ１４で本決定して確定させるようにすることで、イヤホンユニット２Ｌおよび２Ｒがその表示によらず、どちらの耳に挿入されていても、適切にＲｃｈとＬｃｈを出力させている。
【００５５】
以上の説明から明らかなように、制御部３６と、切替部３４ａと、イヤホンユニット２Ｌおよび２Ｒに設けられたＧＰＳセンサ２Ａ、ジャイロセンサ２Ｂ、電子コンパス２Ｃと、で本発明の第１の実施例にかかる音声信号出力装置を構成する。
【００５６】
本実施例によれば、携帯音楽プレーヤ１の制御部３６が、イヤホン２のＧＰＳセンサ２Ａから取得した位置情報から利用者の移動方向が検出できない場合は、イヤホン２のジャイロセンサ２Ｂから取得した角度情報に基づいてイヤホンユニット２Ｌおよび２ＲにＬｃｈ、Ｒｃｈのいずれを出力するかを決定する。そして、その後ＧＰＳセンサ２Ａから取得した位置情報から利用者の移動方向が検出できた場合は、当該移動方向に基づいてイヤホンユニット２Ｌおよび２ＲにＬｃｈ、Ｒｃｈのいずれを出力するかを決定する。このようにすることにより、利用者の耳への装着角度からイヤホンユニット２Ｌおよび２Ｒが右側に装着されたのか左側に装着されたのかを仮決定でき、その後利用者の移動によって、左側に装着されたのか右側に装着されたのかを確定することができる。したがって、利用者の移動前から自動的に左右を決定して適切に音楽等を聴取することができる。また、イヤホンユニット２Ｌおよび２Ｒをどちらの耳に装着すべきかを確認する必要が無くなる。
【００５７】
なお、上述した第１の実施例では、イヤホンユニット２Ｌおよび２Ｒの両方にＧＰＳセンサ２Ａ、ジャイロセンサ２Ｂ、電子コンパス２Ｃが設けられていたが、いずれか一方のみでもよい。つまり、いずれか一方の装着角度や方位および移動方向が判明すれば、当該イヤホンユニット２Ｌまたは２Ｒが右側または左側のどちらに装着されているかを決定することが可能であり、一方が決定できれば他方も自ずと決定できる。
【００５８】
また、上述した第１の実施例では、イヤホンユニット２Ｌおよび２ＲにＧＰＳセンサ２Ａ、ジャイロセンサ２Ｂ、電子コンパス２Ｃが設けられていたが、ジャイロセンサ２Ｂを削除してもよい。つまり、方位および移動方向のみでイヤホンユニット２Ｌまたは２Ｒが右側または左側のどちらに装着されているかを判定してもよい。この場合でも、いずれか一方のイヤホンユニットにのみセンサ類が設けられていてもよい。
【００５９】
また、２つのイヤホンユニット２Ｌおよび２Ｒは、同じ構成でなくてもよい。例えば、イヤホンユニット２ＬにＧＰＳセンサ２Ａは内蔵するが電子コンパス２Ｃは内蔵しないように構成して、イヤホンユニット２Ｒに電子コンパス２Ｃは内蔵するがＧＰＳセンサ２Ａは内蔵しないように構成してもよい。イヤホン２は、一方のイヤホンユニット２Ｌまたは２Ｒの向きが定まれば他方のイヤホンユニット２Ｒまたは２Ｌは一方のイヤホンユニット２Ｌまたは２Ｒと相対する方向に自ずと定まる。そして、ＧＰＳセンサ２Ａはイヤホン２の移動方向を検出できればよいので、電子コンパス２Ｃを内蔵するイヤホンユニット２Ｒに無くてもステップＳ１４で説明したような動作をすることは可能である。
【００６０】
さらには、電子コンパス２Ｃも削除して、ＧＰＳセンサ２Ａのみとしてもよい。この場合は、イヤホンユニット２Ｌおよび２Ｒの両方にＧＰＳセンサ２Ａが必要である。つまり、２つのイヤホンユニット２Ｌおよび２Ｒの移動方向が判明すれば、その２つの移動方向から当該イヤホンユニット２Ｌまたは２Ｒが右側または左側のどちらに装着されているかを判定することが可能である。即ち、移動方向に関する情報には、イヤホンユニット２Ｌ（第１音声出力部）およびイヤホンユニット２Ｒ（第２音声出力部）の位置を検出する位置検出部の検出結果が含まれている。
【実施例２】
【００６１】
本発明の第２の実施例にかかる音声信号出力装置を図８および図９を参照して説明する。前述した第１の実施例と同一部分には、同一符号を付して説明を省略する。
【００６２】
本実施例では、利用者がイヤホンユニット２Ｌおよび２Ｒを装着する順序の癖を利用して左耳または右耳のいずれに装着されているかを判定する。
【００６３】
図８に本実施例にかかるイヤホンユニット２Ｌの断面図を示す。図８に示したように、イヤホンユニット２Ｌは、図３に示した構成から、ジャイロセンサ２Ｂを削除して、近接センサ２９を設けた点が異なる。なお、イヤホンユニット２Ｒも同様の構成である。
【００６４】
近接センサ２９は、筒状部２５の開口部２７近傍に設けられ、電線２４に含まれる信号線と電気的に接続されている。近接センサ２９は、周知のように例えば赤外光の反射を検出する事で人や物体が近づいたことを検出するセンサであり、本実施例では、イヤホンユニット２Ｌが利用者の耳に装着されたことを検出して近接情報を信号線を介して携帯音楽プレーヤ１の制御部３６に出力する。なお、イヤホン本体２２に内蔵可能な小型の近接センサ２９としては例えばローム株式会社のＢＨ１７７２ＧＬＣが挙げられる。
【００６５】
本実施例にかかるフローチャートを図９に示す。まず、ステップＳ３１において、今回のイヤホンユニット２Ｌおよび２Ｒの装着順を判定しステップＳ３２に進む。イヤホンユニット２Ｌおよび２Ｒの装着順の判定は、近接センサ２９からの近接情報を取得した順序で判定する。つまり、イヤホンユニット２Ｌを先に装着した場合はイヤホンユニット２Ｌの近接センサ２９からの近接情報が先に取得され、イヤホンユニット２Ｒの近接センサ２９からの近接情報は後に取得される。
【００６６】
次に、ステップＳ３２において、利用者が移動しているか否かを判断し、移動している場合（ＹＥＳの場合）はステップＳ１４に進み、移動していない場合（ＮＯの場合）はステップＳ３３に進む。利用者が移動しているか否かは図４のステップＳ１２と同様にＧＰＳセンサ２Ａから入力される位置情報が変化しているか否かで判断すればよい。
【００６７】
次に、ステップＳ３３において、ステップＳ３２で利用者が移動していないと判断されたので、癖情報が有るか否かを判断し、有る場合はステップＳ３４に進み、無い場合はステップＳ１１に進んで第１の実施例と同様にモノラル音声を出力する。癖情報とは詳細は後述するが、イヤホンユニット２Ｌおよび２Ｒを装着する順序と、その順序で装着した際におけるイヤホンユニット２Ｌおよび２Ｒの装着位置（左耳または右耳）の関係を示すものであり、制御部３６内または制御部３６に接続された不図時の不揮発性メモリ等に記憶されている情報である。
【００６８】
次に、ステップＳ３４において、癖情報を利用してイヤホンユニット２Ｌおよび２Ｒが左耳または右耳のいずれに装着されているかを決定しステップＳ１４に進む。つまり、癖情報で先に装着されるのが左耳である場合は、ステップＳ３１では先に装着されたイヤホンユニット２Ｌまたは２Ｒは左側であると判定する。即ち、利用者の移動方向が検出できない場合は、制御部３６（取得部）が記憶している癖情報に基づいてイヤホンユニット２Ｌ（第１音声出力部）に出力するＲｃｈまたはＬｃｈのいずれかの信号を決定している。
【００６９】
次に、ステップＳ１４において、図４のステップＳ１４と同様に、方位情報および位置情報からイヤホンユニット２Ｌおよび２Ｒのいずれが利用者の左耳または右耳のいずれに装着されているかを判定して決定し、ステップＳ３５に進む。即ち、癖情報による決定の後、利用者の移動方向が検出できた場合は、方位情報および位置情報（配置情報）に基づいて、イヤホンユニット２Ｌ（第１音声出力部）に出力するＬｃｈまたはＲｃｈのいずれかの信号を決定して確定させている。
【００７０】
次に、ステップＳ３５において、ステップＳ３１で判定された装着順を加味した癖情報を上述した不揮発性メモリ等に保存（記憶）する。癖情報は、単純に前の保存内容に今回の装着順による左右の判定結果、例えば先に装着した方が右、後に装着した方が左といった内容を上書き保存してもよいし、このような判定結果を蓄積し、蓄積した判定結果から左右のうち先に装着する確率が高い方を算出しておき、その算出結果を癖情報としてもよい。或いは、蓄積のみ行って、ステップＳ３４実行時に算出を行うようにしてもよい。
【００７１】
即ち、本実施例では、イヤホン２の近接センサ２９が、イヤホンユニット２Ｌ（第１音声出力部）およびイヤホンユニット２Ｒ（第２音声出力部）が利用者の耳に装着されたことを示す情報を取得する取得部として機能し、携帯音楽プレーヤ１の制御部３６が、イヤホンユニット２Ｌ（第１音声出力部）およびイヤホンユニット２Ｒ（第２音声出力部）の装着順序を判定して、当該装着順序および左右の決定結果を関連付けて癖情報として記憶する癖判定部として機能する。
【００７２】
本実施例によれば、イヤホン２の近接センサ２９が、イヤホンユニット２Ｌおよび２Ｒから近接情報を取得して、携帯音楽プレーヤ１の制御部３６が、イヤホンユニット２Ｌおよび２Ｒの装着順序および、その後の右耳または左耳のいずれに装着されているかの決定結果を関連付けて癖情報として記憶する。このようにすることにより、利用者の癖を学習することができ、その結果に用いてイヤホンユニット２Ｌおよび２Ｒが右側に装着されたのか左側に装着されたのかを仮決定することができる。したがって、一度学習した後は利用者の移動前から自動的に左右を決定して適切に音楽等を聴取することができる。
【００７３】
また、制御部３６が、癖情報による仮決定後に利用者の移動によって、右側に装着されたのか左側に装着されたのかを確定することができるので、癖情報による決定が誤っていた場合でも適切な方向にから音声を出力することができる。
【実施例３】
【００７４】
本発明の第３の実施例にかかる音声信号出力装置を図１０および図１１を参照して説明する。前述した第１の実施例と同一部分には、同一符号を付して説明を省略する。
【００７５】
本実施例は、第１の実施例で説明した角度情報のみでイヤホンユニット２Ｌおよび２Ｒのいずれが利用者の左耳または右耳のいずれに装着されているか決定する。図１０に、本実施例にかかるイヤホンユニット２Ｌの断面図を示す。図１０に示したように、イヤホンユニット２Ｌは、図３に示した構成から、ＧＰＳセンサ２Ａと電子コンパス２Ｃとを削除した点が異なる。なお、イヤホンユニット２Ｒも同様の構成である。
【００７６】
本実施例にかかるフローチャートを図１１に示す。図１１に示したフローチャートは、図４に示したステップＳ１１とステップＳ１３を順次実行したものである。即ち、ステップＳ１１において、初期状態としてイヤホン２への出力音声をモノラル音声としてステップＳ１２に進み、ステップＳ１３Ａにおいて、角度情報からイヤホンユニット２Ｌおよび２Ｒのいずれが利用者の左耳または右耳のいずれに装着されているかを判定して決定（左右を決定）する。なお、ステップＳ１３Ａは、ステップＳ１３では仮決定していたのが本ステップで確定させている点が異なる。
【００７７】
即ち、ジャイロセンサ２Ｂ（取得部）は、イヤホンユニット２Ｌ（第１音声出力部）およびイヤホンユニット２Ｒ（第２音声出力部）の少なくとも一方が利用者の耳に配置された状態における配置角度に関する角度情報を配置情報として取得し、制御部３６（決定部）は、角度情報に基づいてイヤホンユニット２Ｌ（第１音声出力部）に出力するＬｃｈまたはＲｃｈのいずれかの信号を決定している。
【００７８】
本実施例によれば、イヤホンのジャイロセンサ２Ｂが、イヤホンユニット２Ｌまたは２Ｒが利用者の耳に配置された状態における配置角度に関する情報を配置情報として取得し、携帯音楽プレーヤ１の制御部３６が、その配置角度に関する配置情報に基づいてイヤホンユニット２Ｌおよび２Ｒのいずれが利用者左耳または右耳のいずれに装着されているか決定している。このようにすることにより、利用者の耳への装着角度からイヤホンユニット２Ｌまたは２Ｒが右側に装着されたのか左側に装着されたのかを決定することができる。したがって、利用者が移動しなくとも自動的に左右を決定して適切に音楽等を聴取することができる。
【００７９】
なお、上述した第３の実施例では、イヤホンユニット２Ｌおよび２Ｒの両方にジャイロセンサ２Ｂが設けられていたが、いずれか一方のみでもよい。つまり、いずれか一方の装着角度が判明すれば、当該イヤホンユニット２Ｌまたは２Ｒが右側または左側のどちらに装着されているかを判定することが可能である。
【実施例４】
【００８０】
本発明の第４の実施例にかかる携帯音楽プレーヤ１を図１２および図１３を参照して説明する。前述した第１、第２の実施例と同一部分には、同一符号を付して説明を省略する。
【００８１】
本実施例は、第２の実施例で説明した癖情報のみでイヤホンユニット２Ｌおよび２Ｒのいずれが利用者の左耳または右耳のいずれに装着されているか決定する。図１２に、本実施例にかかるイヤホンユニット２Ｌの断面図を示す。図１２に示したように、イヤホンユニット２Ｌは、図８に示した構成から、ＧＰＳセンサ２Ａと電子コンパス２Ｃとを削除した点が異なる。なお、イヤホンユニット２Ｒも同様の構成である。
【００８２】
本実施例にかかるフローチャートを図１３に示す。図１３に示したフローチャートは、図９に示したステップＳ３２とステップＳ１４を削除したものである。即ち、ステップＳ３１において、今回のイヤホンユニット２Ｌおよび２Ｒの装着順を判定しステップＳ３３に進み、ステップＳ３３において、癖情報が有るか否かを判断し、有る場合はステップＳ３４Ａに進み、無い場合はステップＳ１１に進んで第１の実施例と同様にモノラル音声を出力する。
【００８３】
そして、ステップＳ３４Ａにおいて、癖情報を利用してイヤホンユニット２Ｌおよび２Ｒが左耳または右耳のいずれに装着されているかを決定しステップＳ３５に進み、ステップＳ３５において、ステップＳ３１で判定された装着順を加味した癖情報を上述した不揮発性メモリ等に保存（記憶）する。なお、ステップＳ３４Ａは、ステップＳ３４では事実上仮決定していたのが本ステップで確定させている点が異なる。
【００８４】
即ち、イヤホン２の近接センサ２９（取得部）は、近接情報（イヤホンユニット２Ｌ（第１音声出力部）およびイヤホンユニット２Ｒ（第２音声出力部）が利用者の耳に装着されたことを示す情報）を取得して、携帯音楽プレーヤ１の制御部３６は、イヤホンユニット２Ｌ（第１音声出力部）およびイヤホンユニット２Ｒ（第２音声出力部）の装着順序を判定して、当該判定順序および制御部３６の決定結果を関連付けて癖情報として記憶し、記憶している癖情報に基づいてイヤホンユニット２Ｌ（第１音声出力部）に出力するＬｃｈまたはＲｃｈのいずれかの信号を決定している。
【００８５】
本実施例によれば、イヤホン２の近接センサ２９が、イヤホンユニット２Ｌおよび２Ｒから近接情報を取得して、携帯音楽プレーヤ１の制御部３６が、イヤホンユニット２Ｌおよび２Ｒの装着順序および、その後の左耳または右耳のいずれに装着されているかの決定結果を関連付けて癖情報として記憶する。そして、制御部３６が、その癖情報に基づいてイヤホンユニット２Ｌおよび２Ｒのいずれが利用者の左耳または右耳のいずれに装着されているか決定している。このようにすることにより、利用者の癖を学習することができ、その結果に用いてイヤホンユニット２Ｌおよび２Ｒが右側に装着されたのか左側に装着されたのかを推測して決定することができる。したがって、一度学習した後は利用者の移動前から自動的に左右を決定して適切に音楽等を聴取することができる。
【実施例５】
【００８６】
本発明の第５の実施例にかかる音声信号出力装置を図１４を参照して説明する。前述した第１の実施例と同一部分には、同一符号を付して説明を省略する。
【００８７】
本実施例は、第１の実施例で行っていた角度情報による左右仮決定の代わりに前回の設定を保存し、それを利用するようにしている。本実施例にかかるフローチャートを図１４に示す。したがって、ジャイロセンサ２Ｂは使用しない。
【００８８】
図１４のフローチャートのステップＳ２１においては、前回の設定が有るか否かを判断し、ある場合（ＹＥＳの場合）はステップＳ２２に進み、無い場合（ＮＯの場合）はステップＳ１１に進んで第１の実施例と同様にモノラル音声を出力する。前回の設定とは、前回に決定した結果である切替部３４ａの切替状態のことを示している。この切替状態は例えば制御部３６内部または制御部３６に接続されている不図示の不揮発性メモリ等に記憶されている。
【００８９】
次に、ステップＳ２２において、前回の決定を利用してステップＳ１３に進む。つまり、前回に決定した結果である切替部３４ａの切り替え状態にしてＬｃｈとＲｃｈとを出力する。
【００９０】
ステップＳ１４は第１の実施例と同様に、方位情報および位置情報からイヤホンユニット２Ｌおよび２Ｒのいずれが利用者の左耳または右耳のいずれに装着されているかを判定して決定し、ステップＳ２３に進む。
【００９１】
次に、ステップＳ２３において、ステップＳ１３の決定結果を設定として保存する。つまり、上述したように例えば制御部３６に接続されている不図示の不揮発性メモリ等に記憶する。
【００９２】
本実施例によれば、前回の設定を記憶して、その設定に基づいて音声を出力し、その間に方位情報と位置情報とからイヤホンユニット２Ｌおよび２Ｒのいずれが利用者の左耳または右耳のいずれに装着されているかを判定して決定するので、例えば、耳に装着したまま音楽等の再生を停止（スリープや電源オフ等も含む）していた場合や、耳からは外していたもののイヤホンユニット２Ｌおよび２Ｒの位置関係が変化しないような場合には適切に音楽等を聴取することができる。
【００９３】
なお、上述した第２〜第５の実施例では、センサ類を削除していたが、単に機能させないようにしてもよいし、制御部３６側で取得された情報を無視するようにしてもよい。また、近接センサ２９、ＧＰＳセンサ２Ａ、ジャイロセンサ２Ｂ、電子コンパス２Ｃの全てを備えてもよい。この場合、角度情報と癖情報の両方の情報による仮決定が可能となる。角度情報による決定と癖情報による決定が異なる結果を示した場合は、適宜優先度等を設定し、どちらかのみを採用するようにすればよい。
【００９４】
また、上述した各実施例では、携帯音楽プレーヤ１が音声信号出力装置を構成していたが、それに限らない。例えばイヤホン２やヘッドホンが接続可能な機器、例えば、スマートフォン等の携帯機器やパーソナルコンピュータ等の情報処理機器、ＤＶＤプレーヤやテレビなどの映像機器などであってもよい。
【００９５】
また、イヤホンユニット２Ｌおよび２Ｒと携帯音楽プレーヤ１との間に設置されるリモコン等が音声信号出力装置を構成してもよいし、イヤホンユニットの一方から他方を経由して携帯音楽プレーヤ１等に接続される場合は、一方のイヤホンユニットからの電線が接続される他方のイヤホンユニットが音声信号出力装置を構成してもよい。あるいは、無線により携帯音楽プレーヤ１等と接続される場合は、イヤホン側の無線通信部が音声信号出力装置を構成してもよい。また、携帯音楽プレーヤ１側に音声出力装置を設けてイヤホンと無線通信を利用する接続する場合は、ＧＰＳセンサやジャイロセンサなどが検出した結果も無線通信によって携帯音楽プレーヤ１に送信するようにすればよい。つまり、ステレオ音声のＬｃｈとＲｃｈとが入力されて、それらを入れ替えることが可能な回路、モジュール、装置等であれば、イヤホン（ヘッドホン）側にあってもよい。
【００９６】
また、上述した各実施例では、イヤホン２で説明したが、勿論ヘッドホンでもよい。ヘッドホンはオーバーヘッドバンド式に限らず、耳掛け式やネックバンド式などでもよい。
【００９７】
また、本発明は上記実施例に限定されるものではない。即ち、当業者は、従来公知の知見に従い、本発明の骨子を逸脱しない範囲で種々変形して実施することができる。かかる変形によってもなお本発明の音声信号出力装置の構成を具備する限り、勿論、本発明の範疇に含まれるものである。
【符号の説明】
【００９８】
１        携帯音楽プレーヤ（音声信号出力装置）
２        イヤホン（音声信号出力装置）
２９      近接センサ（取得部）
２Ａ      ＧＰＳセンサ（取得部、位置検出部）
２Ｂ      ジャイロセンサ２Ｂ（取得部）
２Ｃ      電子コンパス（取得部、位置検出部、向き検出部）
２Ｌ      イヤホンユニット（第１音声出力部）
２Ｒ      イヤホンユニット（第２音声出力部）
３５      パワーアンプ（音声信号出力部）
３６      制御部（取得部、決定部）
Ｓ１４    向き情報および位置情報から左右決定（取得工程、決定工程）
【図１】
2015186072.tif 000003
【図２】
2015186072.tif 000004
【図３】
2015186072.tif 000005
【図４】
2015186072.tif 000006
【図５】
2015186072.tif 000007
【図６】
2015186072.tif 000008
【図７】
2015186072.tif 000009
【図８】
2015186072.tif 000010
【図９】
2015186072.tif 000011
【図１０】
2015186072.tif 000012
【図１１】
2015186072.tif 000013
【図１２】
2015186072.tif 000014
【図１３】
2015186072.tif 000015
【図１４】
2015186072.tif 000016